(57)【要約】      （修正有）【課題】保形性に優れた、内容物注出器を提供する。【解決手段】この発明の注出器１０は、袋状容器１００の注出口から底部１０８に向けて差し込める支え部材２０及び吸い上げ管を備え、前記支え部材２０は、前記注出口から垂設された吸い上げ管の周囲において、拡開して底部にのびて底部に接合する脚部２２と、前記複数の脚部の上部を纏めて前記吸い上げ管に取り付けるための保持部とを有し、前記袋状容器１００の注出口と底部１０８との間において立設された支え部材２０によって、前記袋状容器１００の収縮ないしは倒伏を防ぐように構成されている。【選択図】図１
2014069818.tif 000002
【特許請求の範囲】
【請求項１】
内容物を充填され且つ内容物を出すための注出口を備えた袋状容器に用いられる内容物注出器であって、
袋状容器の注出口から底部に向けて差し込める支え部材及び吸い上げ管を備え、
前記支え部材は、前記注出口から垂設された吸い上げ管の周囲において、吸い上げ管の上方もしくは中間部又は筒口から、拡開して底部にのびて底部に接合する脚部と、
前記複数の脚部の上部を纏めて前記吸い上げ管の上方もしくは中間部又は筒口に取り付けるための保持部とを有し、
前記袋状容器の注出口と底部との間において立設された支え部材によって、前記袋状容器の収縮ないしは倒伏を防ぐように構成された、注出器。
【請求項２】
内容物を充填され且つ内容物を抜き出すための注出口を備えた袋状容器に用いられる内容物注出器であって、
袋状容器の注出口から底部に向けて差し込める支え部材及び吸い上げ管を備え、
前記支え部材は、前記注出口から垂設された吸い上げ管の周囲において、前記吸い上げ管の上方もしくは中間部又は筒口から拡開して底部にのびて底部及び／又は袋状容器の内角部に接合する脚部を有し、
前記袋状容器の注出口と底部との間において立設された支え部材によって、前記袋状容器の収縮ないしは倒伏を防ぐように構成された、注出器。
【請求項３】
前記吸い上げ管は、その上部を筒口に連設され、その下部を容器の底部の注出口側の面に固定され、
容器の底部の近傍より内容物を吸い上げることができるように構成された、請求項１又は請求項２に記載の注出器。
【請求項４】
前記脚部は、吸い上げ管の上部もしくは中間部から放射状に拡開し、その先端もしくは中間部においてわん曲もしくは屈曲して底部の注出口側の面及び／又は袋状容器の内角部に接合又は固定する帯状体で構成された、請求項１ないし請求項３のいずれかに記載の注出器。
【請求項５】
前記脚部は、その中間部に前記吸い上げ管より離間する方向に屈曲させるための第１屈曲部と、前記第１屈曲部より下方において前記吸い上げ管より離間する方向もしくは近接する方向に屈曲させるための第２屈曲部とを有し、
前記第２屈曲部もしくは第２屈曲部の近傍又は前記第２屈曲部より先端側において、容器の底部に接合又は固定するように構成された、請求項１ないし請求項４のいずれかに記載の注出器。
【請求項６】
前記吸い上げ管の吸い上げ口は、前記支え部材の屈曲していない第１屈曲部と屈曲していない第２屈曲部との間に位置するように形成され、
前記支え部材の第１屈曲部と第２屈曲部とを屈曲させて、脚部を容器の底部に接合又は固定したときに、吸い上げ口が容器の底部の近傍に至るように構成された、請求項１ないし請求項５のいずれかに記載の注出器。
【請求項７】
前記袋状容器は、注出口を有する胴部と、前記胴部に連設された底部とを有し、
前記注出口は、注出器の装着部材を取り付けるための注出器取付部又は開口部を備えた、請求項１ないし請求項６のいずれかに記載の注出器。
【請求項８】
前記注出器は、ポンプ本体と、前記ポンプ本体の上方に設けられた押し下げヘッドと、前記ポンプ本体の下方に設けられた吸い上げ管と、前記ポンプ本体に連設され、注出器を容器の注出口に取り付けるための装着部材とを備えた、請求項１ないし請求項７のいずれかに記載の注出器。
【請求項９】
前記注出器取付部は、取付筒状本体に、袋状容器の注出口を嵌挿するための嵌挿部を形成され、且つ、注出器の装着部材を螺合するためのネジ部を形成された、請求項７又は請求項８に記載の注出器。
【請求項１０】
前記注出器取付部は、前記取付筒状本体が袋状容器に連設されたもの又は前記取付筒状本体が袋状容器と別部材として形成されたものである、請求項７又は請求項９に記載の注出器。
【請求項１１】
前記支え部材は、脚部の下方が袋状容器の底部の面又は底部の近傍において固定され、第１脚部及び第２脚部が、第１屈曲部及び第２屈曲部の屈曲に伴い底部に向けて移動して、底部の面に接合するように構成された、請求項１ないし請求項１０のいずれかに記載の注出器。
【請求項１２】
前記支え部材は、
複数の脚部で囲まれた平面の領域が、容器の底面より小さく、
第１屈曲部と第２屈曲部との間の第１脚部の長さ（Ｌ1）が、第２屈曲部と底面との固定部又は第２屈曲部との間の長さ（Ｌ2）より長い、請求項１ないし請求項１１のいずれかに記載の注出器。
【請求項１３】
前記吸い上げ管の原位置から底部の近傍に至る落差は、
第１屈曲部と第２屈曲部との間の第１脚部の原位置から底部の近傍に至る落差と、同じかそれより短い、請求項１ないし請求項１２のいずれかに記載の注出器。
【発明の詳細な説明】
【技術分野】
【０００１】
本発明は、袋状容器に用いられる内容物注出器に関し、特に例えば、保形性が極めて小さい薄肉の本体部分を備えた詰め替え用パウチに装填する内容物注出器に関するものである。
【背景技術】
【０００２】
従来、シャンプー、ボディシャンプー、リンス、液体洗剤、化粧用クリーム等の粘稠又はペースト状の液状物を注出口付き容器に入れて使用する場合、内容物がなくなると、殆どの場合、容器はそのまま廃棄されているのが現状である。
【０００３】
また、上記使い捨て容器による廃棄物公害や経済的デメリットを解消するために、一部に、内容物を詰め替え用の袋に入れた製品が供給されている。前記詰め替え用製品は、スタンディングパウチ（底ガセットの自立袋）やピロー包装されたものが殆どで、詰め替え時は包装袋の一部を鋏みで切り取るか、又は包装袋に設けられたＶノッチ等を利用して開封し、空になった容器に移し替えることが行われていた。
【０００４】
しかしながら、薄肉の詰め替え容器から本来の容器への詰め替え作業は、詰め替え容器の保形性が極めて小さく、その姿勢が安定しないため、詰め替え中に液ダレしないように注意する必要があり、その作業は煩雑なものである。一方、詰め替え容器を、既成の本来の容器に代えて用いることができれば、より便利であり、省資源にも資するものである。
そこで、詰め替え容器をそのまま収容容器として使用でき、使用済み詰め替え容器から取り外して別の替え容器に取り付けることで再利用することができる詰め替え容器の注出具が提案されている（特許文献１）。
又、薄肉容器，詰め替え用薄肉容器，特殊な形状をしている等座屈強度の小さい容器にも用いることができるディスペンサーが提案示されている（特許文献２）。
更に、柔軟性を有する袋状の容器本体と、容器本体の上端部に設けられる吐出部とを有する容器を保持する容器保持具が提案されている（特許文献３）。
【先行技術文献】
【特許文献】
【０００５】
【特許文献１】特開２００１−１１４３２０号公報
【特許文献２】特開平７−２１５３８１号公報
【特許文献３】特開２００３−２００４９号公報
【発明の概要】
【発明が解決しようとする課題】
【０００６】
こうした詰め替え容器は、保形性が小さい薄肉の本体部分と立てるための底部とを備えているが、保形性に乏しく、例えば、ヘッド押し下げ式の縦型ポンプ等で内容物を吸い上げようとしても自立性を備えていない。そこで、特許文献１〜３の発明のように、種々提案されているが、より簡単な構造であって、保形性の乏しい詰め替え容器であっても、内容物の注出をできる内容物注出器はない。
【０００７】
本発明は、上記した点に鑑みてなされたもので、詰め替え容器をそのまま液体収容容器として使用でき、使用済み詰め替え容器から取り外して別の替え容器に取り付けることで再利用することができ、保形性に優れた、内容物注出器を提供することを目的とする。
【課題を解決するための手段】
【０００８】
この発明の請求項１にかかる注出器は、内容物を充填され且つ内容物を出すための注出口を備えた袋状容器に用いられる内容物注出器であって、袋状容器の注出口から底部に向けて差し込める支え部材及び吸い上げ管を備え、前記支え部材は、前記注出口から垂設された吸い上げ管の周囲において、吸い上げ管の上方もしくは中間部又は筒口から、拡開して底部にのびて底部に接合する脚部と、前記複数の脚部の上部を纏めて前記吸い上げ管の上方もしくは中間部又は筒口に取り付けるための保持部とを有し、前記袋状容器の注出口と底部との間において立設された支え部材によって、前記袋状容器の収縮ないしは倒伏を防ぐように構成された、注出器である。
この発明の請求項２にかかる注出器は、内容物を充填され且つ内容物を抜き出すための注出口を備えた袋状容器に用いられる内容物注出器であって、袋状容器の注出口から底部に向けて差し込める支え部材及び吸い上げ管を備え、前記支え部材は、前記注出口から垂設された吸い上げ管の周囲において、前記吸い上げ管の上方もしくは中間部又は筒口から拡開して底部にのびて底部及び／又は袋状容器の内角部に接合する脚部を有し、前記袋状容器の注出口と底部との間において立設された支え部材によって、前記袋状容器の収縮ないしは倒伏を防ぐように構成された、注出器である。
この発明の請求項３にかかる注出器においては、前記吸い上げ管は、その上部を筒口に連設され、その下部を容器の底部の注出口側の面及び／又は袋状容器の内角部に固定され、容器の底部の近傍より内容物を吸い上げることができるように構成された、請求項１又は請求項２に記載の注出器である。
この発明の請求項４にかかる注出器においては、前記脚部は、吸い上げ管の上部もしくは中間部から放射状に拡開し、その先端もしくは中間部においてわん曲もしくは屈曲して底部の注出口側の面に接合又は固定する帯状体で構成された、請求項１ないし請求項３のいずれかに記載の注出器である。
この発明の請求項５にかかる注出器においては、前記脚部は、その中間部に前記吸い上げ管より離間する方向に屈曲させるための第１屈曲部と、前記第１屈曲部より下方において前記吸い上げ管より離間する方向もしくは近接する方向に屈曲させるための第２屈曲部とを有し、前記第２屈曲部もしくは第２屈曲部の近傍又は前記第２屈曲部より先端側において、容器の底部に接合又は固定するように構成された、請求項１ないし請求項４のいずれかに記載の注出器である。
この発明の請求項６にかかる注出器においては、前記吸い上げ管の吸い上げ口は、前記支え部材の屈曲していない第１屈曲部と屈曲していない第２屈曲部との間に位置するように形成され、前記支え部材の第１屈曲部と第２屈曲部とを屈曲させて、脚部を容器の底部に接合又は固定したときに、吸い上げ口が容器の底部の近傍に至るように構成された、請求項１ないし請求項５のいずれかに記載の注出器である。
この発明の請求項７にかかる注出器においては、前記袋状容器は、注出口を有する胴部と、前記胴部に連設された底部とを有し、前記注出口は、注出器の装着部材を取り付けるための注出器取付部又は開口部を備えた、請求項１ないし請求項６のいずれかに記載の注出器である。
この発明の請求項８にかかる注出器においては、前記注出器は、ポンプ本体と、前記ポンプ本体の上方に設けられた押し下げヘッドと、前記ポンプ本体の下方に設けられた吸い上げ管と、前記ポンプ本体に連設され、注出器を容器の注出口に取り付けるための装着部材とを備えた、請求項１ないし請求項７のいずれかに記載の注出器である。
この発明の請求項９にかかる注出器においては、前記注出器取付部は、取付筒状本体に、袋状容器の注出口を嵌挿するための嵌挿部を形成され、且つ、注出器の装着部材を螺合するためのネジ部を形成された、請求項７又は請求項８に記載の注出器である。
この発明の請求項１０にかかる注出器においては、前記注出器取付部は、前記取付筒状本体が袋状容器に連設されたもの又は前記取付筒状本体が袋状容器と別部材として形成されたものである、請求項７又は請求項９に記載の注出器である。
この発明の請求項１１にかかる注出器においては、前記支え部材は、脚部の下方が袋状容器の底部の面又は底部の近傍において固定され、第１脚部及び第２脚部が、第１屈曲部及び第２屈曲部の屈曲に伴い底部に向けて移動して、底部の面に接合するように構成された、請求項１ないし請求項１０のいずれかに記載の注出器である。
この発明の請求項１２にかかる注出器においては、前記支え部材は、複数の脚部で囲まれた平面の領域が、容器の底面より小さく、第１屈曲部と第２屈曲部との間の第１脚部の長さ（Ｌ1）が、第２屈曲部と底面との固定部又は第２屈曲部との間の長さ（Ｌ2）より長い、請求項１ないし請求項１１のいずれかに記載の注出器である。
この発明の請求項１３にかかる注出器においては、前記吸い上げ管の原位置から底部の近傍に至る落差は、第１屈曲部と第２屈曲部との間の第１脚部の原位置から底部の近傍に至る落差と、同じかそれより短い、請求項１ないし請求項１２のいずれかに記載の注出器である。
【発明の効果】
【０００９】
請求項１の発明によれば、内容物を充填され且つ内容物を出すための注出口を備えた袋状容器に用いられる内容物注出器であって、袋状容器の注出口から底部に向けて差し込める支え部材及び吸い上げ管を備え、前記支え部材は、前記注出口から垂設された吸い上げ管の周囲において、吸い上げ管の上方もしくは中間部又は筒口から、拡開して底部にのびて底部に接合する脚部と、前記複数の脚部の上部を纏めて前記吸い上げ管の上方もしくは中間部又は筒口に取り付けるための保持部とを有し、前記袋状容器の注出口と底部との間において立設された支え部材によって、前記袋状容器の収縮ないしは倒伏を防ぐように構成されているので、詰め替え容器をそのまま液体収容容器として使用でき、使用済み詰め替え容器から取り外して別の替え容器に取り付けることで再利用することができ、保形性に優れた、内容物注出器を提供することをできる。
請求項２の発明によれば、内容物を充填され且つ内容物を抜き出すための注出口を備えた袋状容器に用いられる内容物注出器であって、袋状容器の注出口から底部に向けて差し込める支え部材及び吸い上げ管を備え、前記支え部材は、前記注出口から垂設された吸い上げ管の周囲において、前記吸い上げ管の上方もしくは中間部又は筒口から拡開して底部にのびて底部及び／又は袋状容器の内角部に接合する脚部を有し、前記袋状容器の注出口と底部との間において立設された支え部材によって、前記袋状容器の収縮ないしは倒伏を防ぐように構成されているので、詰め替え容器をそのまま液体収容容器として使用でき、使用済み詰め替え容器から取り外して別の替え容器に取り付けることで再利用することができ、保形性に優れた、内容物注出器を提供することをできる。
請求項３の発明によれば、前記吸い上げ管は、その上部を筒口に連設され、その下部を容器の底部の注出口側の面及び／又は袋状容器の内角部に固定され、容器の底部の近傍より内容物を吸い上げることができるように構成されているので、内容物をすべて吸い上げることをできる。
請求項４の発明によれば、前記脚部は、吸い上げ管の上部もしくは中間部から放射状に拡開し、その先端もしくは中間部においてわん曲もしくは屈曲して底部の注出口側の面に接合又は固定する帯状体で構成されているので、注出器を袋状容器に倒れないように取り付けることをできる。
請求項５の発明によれば、前記脚部は、その中間部に前記吸い上げ管より離間する方向に屈曲させるための第１屈曲部と、前記第１屈曲部より下方において前記吸い上げ管より離間する方向もしくは近接する方向に屈曲させるための第２屈曲部とを有し、前記第２屈曲部もしくは第２屈曲部の近傍又は前記第２屈曲部より先端側において、容器の底部に接合又は固定するように構成されているので、注出器を袋状容器に倒れないように取り付けることをできる。
請求項６の発明によれば、前記吸い上げ管の吸い上げ口は、前記支え部材の屈曲していない第１屈曲部と屈曲していない第２屈曲部との間に位置するように形成され、前記支え部材の第１屈曲部と第２屈曲部とを屈曲させて、脚部を容器の底部に接合又は固定したときに、吸い上げ口が容器の底部の近傍に至るように構成されているので、注出器を袋状容器に倒れないように取り付けることをできる上に、内容物をすべて吸い上げることをできる。
請求項７の発明によれば、前記袋状容器は、注出口を有する胴部と、前記胴部に連設された底部とを有し、前記注出口は、注出器の装着部材を取り付けるための注出器取付部又は開口部を備えているので、注出器を容易に取り付けることをできる。
請求項８の発明によれば、前記注出器は、ポンプ本体と、前記ポンプ本体の上方に設けられた押し下げヘッドと、前記ポンプ本体の下方に設けられた吸い上げ管と、前記ポンプ本体に連設され、注出器を容器の注出口に取り付けるための装着部材とを備えているので、袋状容器に容易に取り付けることをできる上に、内容物をすべて吸い上げることをできる。
請求項９の発明によれば、前記注出器取付部は、取付筒状本体に、袋状容器の注出口を嵌挿するための嵌挿部を形成され、且つ、注出器の装着部材を螺合するためのネジ部を形成されているので、注出器を袋状容器に容易に取り付けることをできる。
請求項１０の発明によれば、前記注出器取付部は、前記取付筒状本体が袋状容器に連設されたもの又は前記取付筒状本体が袋状容器と別部材として形成されているので、最適な構造にすることをできる。
請求項１１の発明によれば、前記支え部材は、脚部の下方が袋状容器の底部の面又は底部の近傍において固定され、第１脚部及び第２脚部が、第１屈曲部及び第２屈曲部の屈曲に伴い底部に向けて移動して、底部の面に接合するように構成されているので、注出器を袋状容器に倒れないように取り付けることをできる。
請求項１２の発明によれば、前記支え部材は、複数の脚部で囲まれた平面の領域が、容器の底面より小さく、第１屈曲部と第２屈曲部との間の第１脚部の長さ（Ｌ1）が、第２屈曲部と底面との固定部又は第２屈曲部との間の長さ（Ｌ2）より長く形成されているので、注出器を袋状容器に倒れないように取り付けることをできる。
請求項１３の発明によれば、前記吸い上げ管の原位置から底部の近傍に至る落差は、第１屈曲部と第２屈曲部との間の第１脚部の原位置から底部の近傍に至る落差と、同じかそれより短く形成されているので、注出器を容易に取り付けることをできる。
【００１０】
この発明の上述の目的、その他の目的、特徴及び利点は、図面を参照して行う以下の発明を実施するための形態の説明から一層明らかとなろう。
【図面の簡単な説明】
【００１１】
【図１】本発明の一実施の形態である詰め替え容器の注出器を、詰め替え包装容器の口部に取り付けた状態を示す斜視図解図である。
【図２】支え部材を示す斜視図解図である。
【図３】支え部材を屈曲部で曲げた状態の斜視図解図である。
【図４】図３に示す状態の平面図解図である。
【図５】注出器を袋状容器に装填する前の形状を示す注出器の図解図であり、（Ａ）は正面図解図であり、（Ｂ）は横断面図解図であり、（Ｃ）は平面図解図である。
【図６】注出器を袋状容器に装填したときの形状を示す注出器の正面図解図である。
【図７】袋状容器の平面図解図である。
【図８】袋状容器の正面図解図である。
【図９】注出器を袋状容器に装填する前の状態を示す正面図解図である。
【図１０】注出器を袋状容器に装填した状態を示す正面図解図である。
【図１１】図１図示注出器の変形例の支え部材を示す斜視図解図である。
【図１２】図１図示注出器の変形例の支え部材を屈曲部で曲げた状態の斜視図解図である。
【図１３】図１２に示す状態の平面図解図である。
【図１４】図１１図示例の注出器を袋状容器に装填する前の状態を示す断面図解図である。
【図１５】図１１図示例の注出器を袋状容器に装填した状態を示す断面図解図である。
【図１６】別の袋状容器の断面図解図である。
【図１７】別の実施の形態である注出器を袋状容器に装填する前の状態を示す正面図解図である。
【図１８】別の実施の形態である注出器を袋状容器に装填した状態を示す正面図解図である。
【図１９】図１７図示例の変形例である注出器を袋状容器に装填する前の状態を示す正面図解図である。
【図２０】図１７図示例の変形例である注出器を袋状容器に装填した状態を示す正面図解図である。
【図２１】別の実施の形態である注出器を袋状容器に装填する前の状態を示す正面図解図である。
【図２２】別の実施の形態である注出器を袋状容器に装填した状態を示す正面図解図である。
【図２３Ａ】別の実施の形態である注出器を袋状容器に装填する前の状態を示す正面図解図である。
【図２３Ｂ】図２３Ａの要部の断面図解図である。
【図２４Ａ】別の実施の形態である注出器を袋状容器に装填した状態を示す正面図解図である。
【図２４Ｂ】図２４Ａの要部の断面図解図である。
【図２５】更に別の実施の形態である注出器を袋状容器に装填する前の状態を示す正面図解図である。
【図２６】更に別の実施の形態である注出器を袋状容器に装填した状態を示す正面図解図である。
【図２７】更に別の実施の形態である注出器を袋状容器に装填した状態を示す平断面図解図である。
【図２８】更に別の実施の形態である注出器を袋状容器に装填した状態を示す平断面図解図である。
【発明を実施するための形態】
【００１２】
以下、図１ないし図１３に基づき、この発明の一実施の形態である内容物を充填され且つ内容物を出すための注出口１０４を備えた袋状容器１００に用いられる内容物注出器１０について説明する。
【００１３】
この発明にかかる袋状容器１００は、常法により軟質シートで形成されたスタンドパウチ状であり、軟質シートによって形成された容器本体１０２の上方に注出口１０４を設けられている。
【００１４】
前記袋状容器１００は、容器本体１０２と注出口１０４とを備えており、容器本体１０２は、胴部１０６と、前記胴部１０６の下方に連設された底部１０８と、胴部１０６の上に形成された肩部１１０とを有している。
前記注出口１０４は、肩部１１０に形成され、注出器１０の装着部材１８を取り付けるための注出器取付部１４０又は開口部を備える。
【００１５】
容器本体１０２の材質は、プラスチックシート、金属シート、あるいはこれらを構成材料として積層された複合シートから選ぶことができる。
プラスチックシートの例としては、ポリエチレン、ポリプロピレン、ポリエステル、ポリカーボネート、ナイロン樹脂等が挙げられる。
これらの軟質シートあるいは複合シートを素材とし、２枚の素材シートを容器本体の第１胴部シート部材１１２及び第２胴部シート部材１１４として対向させて、その周囲を所定の幅でヒートシールすることにより、周縁を加熱溶着して容器本体１０２が形成される。
【００１６】
容器本体１０２は、下方において、対向する素材シートの第１胴部シート部材１１２と第２胴部シート部材１１４との間に下向きに折り返した底部シート部材１１６を介在させて、第１胴部シート部材１１２及び第２胴部シート部材１１４の周縁内側面と底部シート部材１１６の周縁部とを溶着して底部１０８を構成している。
したがって、内容物が容器本体１０２内に充填されると、底部シート部材１１６が広がって前記底部１０８が開き、平坦な容器の底を形成する。容器本体１０２をその状態でテーブル上等に載置すると、底部１０８が接地して自立するが、保形性が小さい。
【００１７】
前記内容物を充填され且つ内容物を出すための注出口１０４を備えた袋状容器１００に用いられる内容物注出器１０は、ポンプ本体１２と、前記ポンプ本体１２の上方に設けられた押し下げヘッド１４と、前記ポンプ本体１２の下方に設けられた吸い上げ管１６と、前記ポンプ本体１２に連設され、注出器１０を容器の注出口１０４の注出器取付部１４０に取り付けるための装着部材１８とを備えている。
【００１８】
ポンプ本体１２は、略々円柱状の外観を備えており、吸い上げ管１６は、ポンプ本体１２よりその径が短い略々円柱状の外観を備えている。
吸い上げ管１６は、ポンプ本体１２によって袋状容器１００の中の内容物を吸い上げるために、中空の合成樹脂製のパイプで形成されている。
【００１９】
装着部材１８は、円筒状の垂壁１８０と垂壁１８０の上部に形成された上壁１８２とを備えており、上壁１８２に穿設された貫通孔１８４に貫挿されたポンプ本体１２及び吸い上げ管１６の周囲において、取り付けられている。
装着部材１８は、後述する注出器取付部１４０の雄ネジ部１４６に螺合するための雌ネジ部１８６を、垂壁１８０の円周壁の周面に形成されている。
【００２０】
注出器１０は、更に、袋状容器１００の注出口１０４から底部１０８に向けて差し込める支え部材２０を備えている。
【００２１】
脚部２２は、袋状容器１００の注出口１０４から差し込む前においては、折り畳まれており、保持部２４と略々同径の筒状になるように構成されている。
この実施の形態においては、脚部２２と保持部２４とは合成樹脂製の円筒状体で一体的に形成され、複数の脚部２２を形成するための垂直方向（軸方向）にのびるスリットによって、分割されている。
【００２２】
脚部２２の下方には、複数の脚部２２を纏める脚固定部２６が連設されている。
脚固定部２６は、保持部２４と略々同径の筒状である。
この実施の形態においては、脚固定部２６と脚部２２及び保持部２４とは合成樹脂製の円筒状体で、一体的に形成されている。
前記袋状容器１００の注出口１０４と底部１０８との間において立設された支え部材２０は、前記袋状容器１００の収縮ないしは倒伏を防ぐように構成されている。
【００２３】
前記支え部材２０は、前記注出口１０４から垂設された吸い上げ管１６の周囲において、吸い上げ管１６の上方もしくは中間部又は筒口（装着部材１８）から、複数が分かれて拡開して底部１０８にのびて底部１０８に接合する脚部２２と、前記複数の脚部２２の上部を纏めて前記吸い上げ管１６の上方もしくは中間部又は筒口（装着部材１８）に取り付けるための保持部２４とを有している。
【００２４】
保持部２４は、吸い上げ管１６の上方の外周面に密着するように断面円形の筒状（パイプ状）に形成されている。
保持部２４は、吸い上げ管１６の外周面上を、吸い上げ管１６の軸方向に摺動自在に、吸い上げ管１６の上方に嵌挿されている。
【００２５】
前記脚部２２は、吸い上げ管１６の上部もしくは中間部から放射状に分かれて拡開し、その先端もしくは中間部においてわん曲もしくは屈曲して、底部１０８の注出口１０４側の面に接合又は固定する帯状体により構成されている。
脚部２２は、傘骨状に開脚して、吸い上げ管１６を支持する。
【００２６】
前記脚部２２は、その中間部に前記吸い上げ管１６より離間する方向に屈曲させるための第１屈曲部３０と、前記第１屈曲部３０より下方において前記吸い上げ管１６より離間する方向もしくは近接する方向に屈曲させるための第２屈曲部３２とを有している。
第１屈曲部３０と第２屈曲部３２との間に、第１脚部４０が形成されている。第２屈曲部３２と第３屈曲部３４との間に、第２脚部４２が形成されている。
前記第２屈曲部３２もしくは第２屈曲部３２の近傍又は前記第２屈曲部３２より先端側は、容器の底部１０８に接合又は固定するように構成されている脚固定部２６を連設されている。
第３屈曲部３４は、第２脚部４２との境界において、脚固定部２６を屈曲させるために形成されている。
第１脚部４０と第２脚部４２と脚固定部２６とは、左右の端縁が揃って一直線状に並んだ帯状体であって、略々同じ幅である。
【００２７】
第１屈曲部３０は、第１脚部４０及び第２脚部４２が外方に向けて開脚するように、Ｖ字型の切り込みを外面側から内面側に向けて開設されてなる。
第２屈曲部３２は、第２脚部４２が内方に向けて折れ曲がって、内向き仰角となるように、Ｖ字型の切り込みを外面から内側に向けて開設されてなる。
第３屈曲部３４は、脚固定部２６を垂直方向に向けて折れ曲がらせるために、Ｕ字型の切り込みを、内面から外面側に向けて開設されてなる。
第１屈曲部３０，第２屈曲部３２及び第３屈曲部３４は、第１脚部４０，第２脚部４２及び脚固定部２６の左右の端縁を直交して水平方向にのびる。
【００２８】
前記支え部材２０は、脚部２２の下方が袋状容器１００の底部１０８の面又は底部１０８の近傍において固定され、第１脚部４０及び第２脚部４２が、第１屈曲部３０及び第２屈曲部３２の屈曲に伴い底部１０８に向けて移動して、底部１０８の面に接合するように構成されている。
第２脚部４２は、袋状容器１００の底部１０８に接合した第２屈曲部３２からやや上方に向けてのびるように構成されている。すなわち、第２屈曲部３２と第３屈曲部３４との間の第２脚部４２は、水平面とのなす角度を仰角となるように形成されている。
第３屈曲部３４からのびた端部に形成された脚固定部２６は、第３屈曲部３４から垂下されて、袋状容器１００の底部１０８の中央に形成された停止固定部１３０に係合されて、底部１０８に固定される。
【００２９】
袋状容器１００の底部１０８の中央に付設された停止固定部１３０は、平面視円形状の円盤型であり、その中心に、吸い上げ管１６の先端を挿入するための吸い上げ管挿入穴１３２を穿設されている。
停止固定部１３０は、外周縁に沿って、脚固定部２６を係合するための脚係合部１３４を形成されている。
この実施の形態においては、停止固定部１３０は、脚部２２と合成樹脂で一体成形され、底部シート部材１１６の内面に固定される。
【００３０】
前記吸い上げ管１６の吸い上げ口は、前記支え部材２０の屈曲していない第１屈曲部３０と屈曲していない第２屈曲部３２との間に位置するように形成され、前記支え部材２０の第１屈曲部３０と第２屈曲部３２とを屈曲させて、脚部２２を容器の底部１０８に接合又は固定したときに、吸い上げ口が容器の底部１０８の近傍に至るように構成されている。
【００３１】
吸い上げ管１６の吸い上げ口は、その下端に、内容物が吸い上げられるように切り欠き１６０が設けられている。
吸い上げ管挿入穴１３２は、前記吸い上げ管１６の吸い上げ口に穿設された切り欠き１６０に対向して、吸い込み孔１３２ａが穿設されている。
【００３２】
第１屈曲部３０と第２屈曲部３２との間の第１脚部４０は、放射状に拡開して、袋状容器１００の底部１０８に達する長さを備えている。
第２屈曲部３２と第３屈曲部３４との間の第２脚部４２は、拡開した第１脚部４０の先端である第２屈曲部３２から袋状容器１００の底部１０８の中央に至る長さを備える。
第１脚部４０は、第２脚部４２より長く、１．８〜２倍位の長さを有するように構成されている。
【００３３】
前記支え部材２０は、複数の脚部２２で囲まれた平面の領域が、容器の底面より小さく、第１屈曲部３０と第２屈曲部３２との間の第１脚部４０の長さ（Ｌ1）が、第２屈曲部３２と底面との固定部又は第２屈曲部３２との間の長さ（Ｌ2）より長い。
【００３４】
注出器１０及び袋状容器１００の大きさ、広さ、長さ等の構成は、次のようにして決定される。
次の式中において、長さ及び高さ等は、次のとおりとする（図９及び図１０図示）。
Ｘ：第１脚部４０の長さ
Ｙ：第２脚部４２の長さ
Ｚ：停止固定部１３０の高さ
Ｗ：吸い上げ管１６の原位置から底部１０８近傍に至る落差
α：注出器１０の材質による誤差
Ｓ：装着部材の高さ
β：支え部材２０の保持部２４の直径
Ｍ：袋状容器１００の肩部１１０の内部と第１屈曲部３０との間の長さ
Ｎ：袋状容器１００の肩部１１０の内部と注出器取付部１４０の最上端との間の長さ
（１）支え部材２０の脚部２２の底部１０８の近傍における広がり（Ｖ）に対し、注出器１０の形状は、次式により与えられる。
2014069818.tif 000003
（２）袋状容器１００の収容部の高さ方向における内寸（Ｐ1）に対し、注出器１０の形状は、次式により与えられる。
Ｐ1≧２（Ｘ＋Ｙ＋Ｚ）＋α＋Ｓ
（３）袋状容器１００の収容部の底部１０８の幅方向における内寸（Ｐ2）に対し、注出器１０の形状は、次式により与えられる。
Ｐ2≧２Ｖ
（４）吸い上げ管１６の長さ（Ｌ）は、次式により与えられる。
Ｌ≦Ｍ＋Ｘ＋Ｓ−α
（５）第１脚部４０と第２脚部４２との長さの比は、９：５が好ましい。
【００３５】
［実施例］
表１に表したとおり、袋状容器１００及び注出器１０の支え部材２０を成形すれば、袋状容器１００の保形性を維持して注出器１０により袋状容器１００の中に収容された収容物を注出することができた。
【表１】
2014069818.tif 000004
【００３６】
前記注出器取付部１４０は、取付筒状本体１４２に、袋状容器１００の注出口１０４を嵌挿するための嵌挿部１４４を形成され、且つ、注出器１０の装着部材１８を螺合するための雄ネジ部１４６を形成されている。
【００３７】
注出器１０は、通常、プラスチックを用いて射出成形により作製される。
注出器１０は、繰り返し使用されるため、耐久性、耐衝撃性、耐水性などが必要であり、材質としては、ポリプロピレン、ポリエチレン、ポリスチレン、ポリカーボネート、アクリル、ＡＢＳ等が使用される。
【００３８】
袋状容器１００は、前述のように、容器本体１０２と注出口１０４から構成されるが、胴部１０６は紙やプラスチックを主体とする積層材から作製され、容器の注出口１０４は、プラスチックの射出成形によって作製される。
【００３９】
一般的に、容器本体１０２を構成する第１胴部シート部材１１２及び第２胴部シート部材１１４並びに底部シート部材１１６は、紙やプラスチックを主体とする積層材から構成されており、内面にはヒートシール性を有するポリエチレン（ＰＥ）やポリプロピレン（ＰＰ）が使用されている。そのために、注出口１０４の注出器取付部１４０の材質としてはＰＥやＰＰが多く使用される。しかし、注出器取付部１４０の材質として、ＰＥやＰＰ以外の材質でも、成形後、肩部１１０の開口部に接着剤を塗布することにより容器本体１０２とのシール性を付与することができるので、射出成形可能な材質であれば使用可能である。
第１胴部シート部材１１２及び第２胴部シート部材１１４並びに底部シート部材１１６としては、通常、ＰＥ／紙／ＰＥ、ＰＥ／紙／ＰＥ／アルミ／ＰＥ等の積層材が使用されている。
【００４０】
容器本体１０２は、紙やプラスチックを主体とする積層材からなり、図１、図７及び図８に示すように、底部１０８の近傍が角形で、上部の胴部１０６が錐状をしている。
袋状容器１００の底部１０８は、底部シート部材１１６の外周縁を下方に折り曲げ、その折り曲げられた部分を、従来の液体紙容器と同様に、胴部１０６の下部の内周縁に接合し、ヒートシールによって密封されている。
【００４１】
本発明にかかる袋状容器１００は、図８に示すように、内容物充填後、キャップ１５０をしてユーザーに供給される。キャップ１５０は、図８に示すように、内部にネジを形成したスクリューキャップを使用し、更に、内容物のもれを防止するために、パッキン１５２をキャップ１５０内に挿入し、キャップ１５０と袋状容器１００の注出口１０４をネジ締めしたとき、密封できるように構成されている。
そして、詰め替え袋状容器１００の注出口１０４のネジ山は、注出器１０のネジに適合するように形成し、詰め替え時は、注出器１０を交換した新しい容器に挿入し、ネジ締めするだけで再度液体注出容器として使用できるように構成されている。
【００４２】
新しい詰め替え袋状容器１００に注出器１０を装填するときは、袋状容器１００のキャップ１５０を取り除き、この袋状容器１００に注出器１０の折り畳まれた支え部材２０及び吸い上げ管１６を挿入して、装着部材１８を、ポンプ本体１２及び吸い上げ管１６に沿って押し下げ、吸い上げ管１６の先端を停止固定部１３０の吸い上げ管挿入穴１３２に貫挿させる。
吸い上げ管１６の下降に伴い、支え部材２０が下降し、支え部材２０の脚固定部２６が停止固定部１３０に係止固定される。
そして、脚部２２は、第３屈曲部３４おいて屈曲し、複数の第２脚部４２は、分かれて外方に向けて放射状に伸びる。
そして、脚部２２は、第２屈曲部３２において屈曲して、底部１０８の内側面に接地する。
更に、支え部材２０は、下降すると、第１屈曲部３０において屈曲し、複数の第１脚部４０は、分かれて外方に向けて放射状に伸びる。
このようにして、注出器１０と袋状容器１００をセットにし、更に、注出器１０の装着部材１８と袋状容器１００の注出器取付部１４０をネジ締めして一体化する。
これによって、注出器１０の押し下げヘッド１４を押すことによって、袋状容器１００に入っている内容物を一定量排出することができる。
【００４３】
支え部材２０は、図１１及び図１２に示すように、その形状を変更してもよい。
図１１図示支え部材２０は、脚部２２の数が４本になり、脚部２２を構成する第１脚部４０及び第２脚部４２の幅が、図１図示の第１脚部４０及び第２脚部４２の幅より広くなっている。
【００４４】
吸い上げ管１６及び停止固定部１３０は、図１４及び図１５に示すように、その形状を変更してもよい。
図１４及び図１５図示吸い上げ管１６は、その下方に突縁部１６２を周設されており、停止固定部１３０の吸い上げ管挿入穴１３２に嵌挿されたとき、突縁部１６２は、停止固定部１３０の吸い上げ管挿入穴１３２の周縁に周設された周凹部１３８に嵌合固定されるように構成されている。突縁部１６２は、下部の角部を面取りされており、停止固定部１３０の上部から周凹部１３８に至る開口領域も上方に向かうに従って拡がるテーパー状に形成されている。而して、突縁部１６２は、停止固定部１３０の上部から周凹部１３８に嵌入させ易い。
突縁部１６２の上部の角部は、周凹部１３８の開口領域側の内縁に係止されて吸い上げ管１６が停止固定部１３０に固定され、周凹部１３８は、吸い上げ管１６の突縁部１６２を周凹部１３８から引き抜くことができる。
また、吸い上げ管１６の突縁部１６２を周凹部１３８から引き抜くことができるように、突縁部１６２の径より周凹部１３８の径の方が僅かに長く構成されている。
【００４５】
吸い上げ管１６の吸い上げ口は、その下端に、内容物が吸い上げられるように切り欠き１６０が設けられている。
吸い上げ管挿入穴１３２は、前記吸い上げ管１６の吸い上げ口に穿設された切り欠き１６０に対向して、吸い込み孔１３２ａが穿設されている。
【００４６】
次に、図１６ないし図１８に基づき、別の発明の実施の形態について説明する。
【００４７】
この発明にかかる袋状容器３００は、常法により軟質シートで形成されたスタンドパウチ状であり、軟質シートによって形成された容器本体３０２の上方に注出口３０４を設けられている。
【００４８】
前記袋状容器３００は、容器本体３０２と注出口３０４とを備えており、容器本体３０２は、胴部３０６と、前記胴部３０６の下方に連設された底部３０８と、胴部３０６の上に形成された肩部３１０とを有している。
前記注出口３０４は、肩部３１０に形成され、注出器２１０の装着部材２１８を取り付けるための開口部を備える。
注出口３０４は、図１６に示すように、タブ３０４ａを掴んで切断線で切断して、開口部を開設する。
【００４９】
容器本体３０２の材質は、プラスチックシート、金属シート、あるいはこれらを構成材料として積層された複合シートから選ぶことができる。
これらの軟質シートあるいは複合シートを素材とし、２枚の素材シートを容器本体の第１胴部シート部材３１２及び第２胴部シート部材３１４として対向させて、その周囲を所定の幅でヒートシールすることにより、周縁を加熱溶着して容器本体３０２が形成される。
【００５０】
容器本体３０２は、下方において、対向する素材シートの第１胴部シート部材３１２と第２胴部シート部材３１４との間に下向きに折り返した底部シート部材３１６を介在させて、第１胴部シート部材３１２及び第２胴部シート部材３１４の周縁内側面と底部シート部材３１６の周縁部とを溶着して底部３０８を構成している。
したがって、内容物が容器本体３０２内に充填されると、底部シート部材３１６が広がって前記底部３０８が開き、平坦な容器の底を形成する。容器本体３０２をその状態でテーブル上等に載置すると、底部３０８が接地して自立するが、保形性が小さい。
【００５１】
前記内容物を充填され且つ内容物を出すための注出口３０４を備えた袋状容器３００に用いられる内容物注出器２１０は、ポンプ本体２１２と、前記ポンプ本体２１２の上方に設けられた押し下げヘッド２１４と、前記ポンプ本体２１２の下方に設けられた吸い上げ管２１６と、前記ポンプ本体２１２に連設され、注出器２１０を容器の注出口３０４の開口部の周縁に取り付けるための装着部材２１８とを備えている。
【００５２】
ポンプ本体２１２は、略々円柱状の外観を備えており、吸い上げ管２１６は、ポンプ本体２１２よりその径が短い略々円柱状の外観を備えている。
吸い上げ管２１６は、ポンプ本体２１２によって袋状容器３００の中の内容物を吸い上げるために、中空の合成樹脂製のパイプで形成されている。
【００５３】
装着部材２１８は、円筒状の垂壁３８０と垂壁３８０の下部に形成された下壁３８２とを備えており、下壁３８２に穿設された貫通孔３８４に貫挿されたポンプ本体２１２及び吸い上げ管２１６の周囲において、取り付けられている。
装着部材２１８は、後述する注出器取付部３４０の雄ネジ部３４６に螺合するための雌ネジ部３８６を、垂壁３８０の円周壁の周面に形成されている。
【００５４】
注出器２１０は、更に、袋状容器３００の注出口３０４から底部３０８に向けて差し込める支え部材２２０を備えている。
【００５５】
脚部２２２は、袋状容器３００の注出口３０４から差し込む前においては、折り畳まれており、保持部２２４と略々同径の筒状になるように構成されている。
この実施の形態においては、脚部２２２と保持部２２４とは合成樹脂製の円筒状体で一体的に形成され、複数の脚部２２２を形成するための垂直方向（軸方向）にのびるスリットによって、分割されている。
【００５６】
脚部２２２の下方には、複数の脚部２２２を纏める脚固定部２２６が連設されている。
脚固定部２２６は、保持部２２４と略々同径の筒状である。
この実施の形態においては、脚固定部２２６と脚部２２２及び保持部２２４とは合成樹脂製の円筒状体で、一体的に形成されている。
前記袋状容器３００の注出口３０４と底部３０８との間において立設された支え部材２２０は、前記袋状容器３００の収縮ないしは倒伏を防ぐように構成されている。
【００５７】
前記支え部材２２０は、前記注出口３０４から垂設された吸い上げ管２１６の周囲において、吸い上げ管２１６の上方もしくは中間部又は筒口（装着部材２１８）から、複数が分かれて拡開して底部３０８にのびて底部３０８に接合する脚部２２２と、前記複数の脚部２２２の上部を纏めて前記吸い上げ管２１６の上方もしくは中間部又は筒口（装着部材２１８）に取り付けるための保持部２２４とを有している。
【００５８】
保持部２２４は、吸い上げ管２１６の上方の外周面に密着するように断面円形の筒状（パイプ状）に形成されている。
保持部２２４は、吸い上げ管２１６の外周面上を、吸い上げ管２１６の軸方向に摺動自在に、吸い上げ管２１６の上方に嵌挿されている。
【００５９】
前記脚部２２２は、吸い上げ管２１６の上部もしくは中間部から放射状に分かれて拡開し、その先端もしくは中間部においてわん曲もしくは屈曲して、底部３０８の注出口３０４側の面に接合又は固定する帯状体により構成されている。
脚部２２２は、傘骨状に開脚して、吸い上げ管２１６を支持する。
【００６０】
前記脚部２２２は、その中間部に前記吸い上げ管２１６より離間する方向に屈曲させるための第１屈曲部２３０と、前記第１屈曲部２３０より下方において前記吸い上げ管２１６より離間する方向もしくは近接する方向に屈曲させるための第２屈曲部２３２とを有している。
第１屈曲部２３０と第２屈曲部２３２との間に、第１脚部２４０が形成されている。第２屈曲部２３２と第３屈曲部２３４との間に、第２脚部２４２が形成されている。
前記第２屈曲部２３２もしくは第２屈曲部２３２の近傍又は前記第２屈曲部２３２より先端側は、容器の底部３０８に接合又は固定するように構成されている脚固定部２２６を連設されている。
第３屈曲部２３４は、第２脚部２４２との境界において、脚固定部２２６を屈曲させるために形成されている。
第１脚部２４０と第２脚部２４２と脚固定部２２６とは、左右の端縁が揃って一直線状に並んだ帯状体であって、略々同じ幅である。
【００６１】
第１屈曲部２３０は、第１脚部２４０及び第２脚部２４２が外方に向けて開脚するように、Ｖ字型の切り込みを外面側から内面側に向けて開設されてなる。
第２屈曲部２３２は、第２脚部２４２が内方に向けて折れ曲がって、内向き仰角となるように、Ｖ字型の切り込みを外面から内側に向けて開設されてなる。
第３屈曲部２３４は、脚固定部２２６を垂直方向に向けて折れ曲がらせるために、Ｕ字型の切り込みを、内面から外面側に向けて開設されてなる。
第１屈曲部２３０，第２屈曲部２３２及び第３屈曲部２３４は、第１脚部２４０，第２脚部２４２及び脚固定部２２６の左右の端縁を直交して水平方向にのびる。
【００６２】
前記支え部材２２０は、脚部２２２の下方が袋状容器３００の底部３０８の面又は底部３０８の近傍において固定され、第１脚部２４０及び第２脚部２４２が、第１屈曲部２３０及び第２屈曲部２３２の屈曲に伴い底部３０８に向けて移動して、底部３０８の面に接合するように構成されている。
第２脚部２４２は、袋状容器３００の底部３０８に接合した第２屈曲部２３２からやや上方に向けてのびるように構成されている。すなわち、第２屈曲部２３２と第３屈曲部２３４との間の第２脚部２４２は、水平面とのなす角度を仰角となるように形成されている。
第３屈曲部２３４からのびた端部に形成された脚固定部２２６は、第３屈曲部２３４から垂下されて、袋状容器３００の底部３０８の中央に形成された停止固定部３３０に係合されて、底部３０８に固定される。
【００６３】
袋状容器３００の底部３０８の中央に付設された停止固定部３３０は、平面視円形状の円盤型であり、その中心に、吸い上げ管２１６の先端を挿入するための吸い上げ管挿入穴３３２を穿設されている。
停止固定部３３０は、外周縁に沿って、脚固定部２２６を係合するための脚係合部３３４を形成されている。
この実施の形態においては、停止固定部３３０は、脚部２２２と合成樹脂で一体成形され、底部シート部材３１６の内面に固定される。
【００６４】
前記吸い上げ管２１６の吸い上げ口は、前記支え部材２２０の屈曲していない第１屈曲部２３０と屈曲していない第２屈曲部２３２との間に位置するように形成され、前記支え部材２２０の第１屈曲部２３０と第２屈曲部２３２とを屈曲させて、脚部２２２を容器の底部３０８に接合又は固定したときに、吸い上げ口が容器の底部３０８の近傍に至るように構成されている。
【００６５】
第１屈曲部２３０と第２屈曲部２３２との間の第１脚部２４０は、放射状に拡開して、袋状容器３００の底部３０８に達する長さを備えている。
第２屈曲部２３２と第３屈曲部２３４との間の第２脚部２４２は、拡開した第１脚部２４０の先端である第２屈曲部２３２から袋状容器３００の底部３０８の中央に至る長さを備える。
第１脚部２４０は、第２脚部２４２より長く、１．８〜２倍位の長さを有するように構成されている。
【００６６】
前記支え部材２２０は、複数の脚部２２２で囲まれた平面の領域が、容器の底面より小さく、第１屈曲部２３０と第２屈曲部２３２との間の第１脚部２４０の長さ（Ｌ1）が、第２屈曲部２３２と底面との固定部又は第２屈曲部２３２との間の長さ（Ｌ2）より長い。
【００６７】
前記注出器取付部３４０は、取付筒状本体３４２に、装着部材２１８を嵌挿するための嵌挿部３４４を形成され、且つ、注出器２１０の装着部材２１８を嵌挿された袋状容器３００の注出口３０４の開口部周縁を介在させて螺合するための雄ネジ部３４６を形成されている。
【００６８】
袋状容器３００は、前述のように、容器本体３０２と注出口３０４から構成されるが、胴部３０６は紙やプラスチックを主体とする積層材から作製され、容器の注出口３０４は、プラスチックの射出成形によって作製される。
【００６９】
一般的に、容器本体３０２を構成する第１胴部シート部材３１２及び第２胴部シート部材３１４並びに底部シート部材３１６は、紙やプラスチックを主体とする積層材から構成されており、内面にはヒートシール性を有するポリエチレン（ＰＥ）やポリプロピレン（ＰＰ）が使用されている。そのために、注出口３０４の注出器取付部３４０の材質としてはＰＥやＰＰが多く使用される。しかし、注出器取付部３４０の材質として、ＰＥやＰＰ以外の材質でも、成形後、肩部３１０の開口部に接着剤を塗布することにより容器本体３０２とのシール性を付与することができるので、射出成形可能な材質であれば使用可能である。
第１胴部シート部材３１２及び第２胴部シート部材３１４並びに底部シート部材３１６としては、通常、ＰＥ／紙／ＰＥ、ＰＥ／紙／ＰＥ／アルミ／ＰＥ等の積層材が使用されている。
【００７０】
容器本体３０２は、紙やプラスチックを主体とする積層材からなり、図１に示すように、底部３０８の近傍が角形で、上部の胴部３０６が錐状をしている。
袋状容器３００の底部３０８は、底部シート部材３１６の外周縁を下方に折り曲げ、その折り曲げられた部分を、従来の液体紙容器と同様に、胴部３０６の下部の内周縁に接合し、ヒートシールによって密封されている。
【００７１】
新しい詰め替え袋状容器３００に注出器２１０を装填するときは、袋状容器３００のキャップ３５０を取り除き、この袋状容器３００に注出器２１０の折り畳まれた支え部材２２０及び吸い上げ管２１６を挿入して、装着部材２１８を、ポンプ本体２１２及び吸い上げ管２１６に沿って押し下げ、吸い上げ管２１６の先端を停止固定部３３０の吸い上げ管挿入穴３３２に貫挿させる。
吸い上げ管２１６の下降に伴い、支え部材２２０が下降し、支え部材２２０の脚固定部２２６が停止固定部３３０に係止固定される。
そして、脚部２２２は、第３屈曲部２３４おいて屈曲し、複数の第２脚部２４２は、分かれて外方に向けて放射状に伸びる。
そして、脚部２２２は、第２屈曲部２３２において屈曲して、底部３０８の内側面に接地する。
更に、支え部材２２０は、下降すると、第１屈曲部２３０において屈曲し、複数の第１脚部２４０は、分かれて外方に向けて放射状に伸びる。
次に、注出器取付部３４０の嵌挿部３４４内に、注出口３０４の開口部を嵌挿させ、且つ、その嵌挿部３４４内の注出口３０４の開口部の周縁部分に、装着部材２１８を嵌挿させる。そして、注出器取付部３４０の嵌挿部３４４の雄ネジ部３４６と装着部材２１８の雌ネジ部３８６とを袋状容器３００の注出口３０４の周縁を介在させて螺合させる。
【００７２】
図１９及び図２０は、図１６図示実施の形態の注出器２１０及び袋状容器３００の変形例である注出器及び袋状容器の図解図である。
この図１９及び図２０図示注出器２１０は、注出器取付部３４０が、ポンプ本体２１２の上部に形成されており、前記注出器取付部３４０は、取付筒状本体３４２に嵌挿部３４４を形成され、嵌挿部３４４の外周には、雄ネジ部３４６を形成されている。
装着部材２１８は、注出器取付部３４０の雄ネジ部３４６に螺合されるための雌ネジ部３８６を形成されている。
装着部材２１８は、袋状容器３００の注出口３０４の周辺を注出器取付部３４０の嵌挿部３４４に嵌挿させた状態において、注出器取付部３４０の雄ネジ部３４６に螺合されて、袋状容器３００に注出器２１０を取り付ける。
【００７３】
図２１及び図２２は、更に別の実施の形態の注出器４１０及び袋状容器５００の図解図である。
この図２１及び図２２図示注出器４１０は、注出器取付部５４０が、ポンプ本体４１２の上部に形成されており、前記注出器取付部５４０は、取付筒状本体５４２に嵌挿部５４４を形成され、嵌挿部５４４の外周には、雄ネジ部５４６を形成されている。
装着部材４１８は、注出器取付部５４０の雄ネジ部５４６に螺合されるための雌ネジ部５８６を形成されている。
注出器取付部５４０は、雄ネジ部５４６の下方において、鍔部５４８を突設されている。
装着部材４１８は、袋状容器５００の注出口５０４の周辺を注出器取付部５４０の嵌挿部５４４に嵌挿され且つ鍔部５４８の上に載置された状態において、注出器取付部５４０の雄ネジ部５４６に螺合されて、袋状容器５００に注出器４１０を取り付ける。
袋状容器５００の注出口５０４の周縁は、装着部材４１８の下端縁と注出器取付部５４０の鍔部５４８との間に介装されて、固定される。更に、袋状容器５００の注出口５０４の周縁は、装着部材４１８の雌ネジ部５８６と注出器取付部５４０の雄ネジ部５４６との間にも嵌挿されてもよい。
【００７４】
図２３及び図２４は、図１図示注出器１０の吸い上げ管１６及び停止固定部１３０の変形例を示す図解図である。
吸い上げ管６１６は、第１管体６１６ａと第２管体６１６ｂとに分かれており、第１管体６１６ａに第２管体６１６ｂを嵌挿され、第２管体６１６ｂを第１管体６１６ａの管内において摺動するように構成されている。
第１管体６１６ａは、その下方に突縁部７６２を周設されており、第１管体６１６ａが停止固定部７３０の吸い上げ管挿入穴７３２に嵌挿されたとき、突縁部７６２は、停止固定部７３０の吸い上げ管挿入穴７３２の周縁に周設された周凹部７３８に嵌合固定されるように構成されている。突縁部７６２は、下部の角部を面取りされており、停止固定部７３０の上部から周凹部７３８に至る開口領域も上方に向かうに従って拡がるテーパー状に形成されている。而して、突縁部７６２は、停止固定部７３０の上部から周凹部７３８に嵌入させ易い。
突縁部７６２の上部の角部は、周凹部７３８の開口領域側の内縁に係止されて吸い上げ管６１６が停止固定部７３０に固定され、周凹部７３８は、吸い上げ管６１６の突縁部７６２を周凹部７３８から引き抜くことができる。
また、吸い上げ管６１６の突縁部７６２を周凹部７３８から引き抜くことができるように、突縁部７６２の径より周凹部７３８の径の方が僅かに長く構成されている。
【００７５】
図２５及び図２６は、別の実施の形態である注出器８１０の図解図である。
注出器８１０は、内容物を充填され且つ内容物を抜き出すための注出口９０４を備えた袋状容器９００に用いられる。
内容物注出器８１０は、袋状容器９００の注出口９０４から底部９０８に向けて差し込める支え部材８２０及び吸い上げ管８１６を備える。
前記支え部材８２０は、前記注出口９０４から垂設された吸い上げ管８１６の周囲において、前記吸い上げ管８１６の上方もしくは中間部又は筒口から拡開して底部９０８にのびて底部９０８に接合する脚部８２２を有している。注出器８１０は前記袋状容器９００の注出口９０４と底部９０８との間において立設された支え部材８２０によって、前記袋状容器９００の収縮ないしは倒伏を防ぐように構成されている。
【００７６】
袋状容器９００は、図２７及び図２８に示すように、底部９０８が平面視方形状又は三角形状であって、内角部を備える。
脚部８２２は、傘骨状に開脚して、その先端又は先端の近傍が、袋状容器９００の底部９０８の内角部に突き当たり、吸い上げ管８１６を支持する。
【００７７】
脚部８２２は、袋状容器９００の注出口９０４から差し込む前においては、折り畳まれており、保持部８２４と略々同径の筒状になるように構成されている。
この実施の形態においては、脚部８２２と保持部８２４とは合成樹脂製の円筒状体で一体的に形成され、複数の脚部８２２を形成するための垂直方向（軸方向）にのびるスリットによって、分割されている。
【００７８】
この実施の形態においては、脚部８２２及び保持部８２４は、合成樹脂製の円筒状体で、一体的に形成されている。
前記袋状容器９００の注出口９０４と底部９０８との間において立設された支え部材８２０は、前記袋状容器９００の収縮ないしは倒伏を防ぐように構成されている。
【００７９】
前記支え部材８２０は、前記注出口９０４から垂設された吸い上げ管８１６の周囲において、吸い上げ管８１６の上方もしくは中間部又は筒口（装着部材８１８）から、複数が分かれて拡開して底部９０８にのびて底部９０８及び／又は底部９０８の内角部に接合する脚部８２２と、前記複数の脚部８２２の上部を纏めて前記吸い上げ管８１６の上方もしくは中間部又は筒口（装着部材８１８）に取り付けるための保持部８２４とを有している。
【００８０】
保持部８２４は、吸い上げ管８１６の上方の外周面に密着するように断面円形の筒状（パイプ状）に形成されている。
保持部８２４は、吸い上げ管８１６の外周面上を、吸い上げ管８１６の軸方向に摺動自在に、吸い上げ管８１６の上方に嵌挿されている。
【００８１】
前記脚部８２２は、吸い上げ管８１６の上部もしくは中間部から放射状に拡開し、その先端もしくは中間部において屈曲又はわん曲して底部９０８の注出口９０４側の面に接合又は固定する帯状体で構成されている。
【００８２】
脚部８２２は、保持部８２４との間に形成された、第１屈曲部８３０から下方に延設されている。
脚部８２２は、図２７及び図２８において示すように、袋状容器９００の底部９０８の形状に対応して、３本ないし４本に分成されてなる。
【００８３】
前記注出器８１０は、ポンプ本体８１２と、前記ポンプ本体８１２の上方に設けられた押し下げヘッド８１４と、前記ポンプ本体８１２の下方に設けられた吸い上げ管８１６と、前記ポンプ本体８１２に連設され、注出器８１０を容器の注出口９０４に取り付けるための装着部材８１８とを備えている。
【符号の説明】
【００８４】
１０，２１０，４１０，８１０  注出器
１２，２１２，４１２，８１２  ポンプ本体
１４，２１４，８１４  押し下げヘッド
１６，２１６，６１６，８１６  吸い上げ管
１８，２１８，４１８，８１８  装着部材
２０，２２０，８２０  支え部材
２２，２２２，８２２  脚部
２４，２２４，８２４  保持部
２６，２２６  脚固定部
３０，２３０，８３０  第１屈曲部
３２，２３２  第２屈曲部
３４，２３４  第３屈曲部
４０，２４０  第１脚部
４２，２４２  第２脚部
１００，３００，５００，９００  袋状容器
１０２，３０２  容器本体
１０４，３０４，５０４，９０４  注出口
１０６，３０６  胴部
１０８，３０８，９０８  底部
１１０，３１０  肩部
１１２，３１２  第１胴部シート部材
１１４，３１４  第２胴部シート部材
１１６，３１６  底部シート部材
１３０，３３０，７３０  停止固定部
１３２，３３２，７３２  吸い上げ管挿入穴
１３２ａ  吸い込み孔
１３４，３３４  脚係合部
１３８，７３８  周凹部
１４０，３４０，５４０  注出器取付部
１４２，３４２，５４２  取付筒状本体
１４４，３４４，５４４  嵌挿部
１４６，３４６，５４６  雄ネジ部
１５０，３５０  キャップ
１５２  パッキン
１６０  切り欠き
１６２，７６２  突縁部
１８０，３８０  垂壁
１８２  上壁
１８４，３８４  貫通孔
１８６，３８６，５８６  雌ネジ部
３０４ａ  タブ
３８２  下壁
５４８  鍔部
６１６ａ  第１管体
６１６ｂ  第２管体
【図１】
2014069818.tif 000005
【図２】
2014069818.tif 000006
【図３】
2014069818.tif 000007
【図４】
2014069818.tif 000008
【図５】
2014069818.tif 000009
【図６】
2014069818.tif 000010
【図７】
2014069818.tif 000011
【図８】
2014069818.tif 000012
【図９】
2014069818.tif 000013
【図１０】
2014069818.tif 000014
【図１１】
2014069818.tif 000015
【図１２】
2014069818.tif 000016
【図１３】
2014069818.tif 000017
【図１４】
2014069818.tif 000018
【図１５】
2014069818.tif 000019
【図１６】
2014069818.tif 000020
【図１７】
2014069818.tif 000021
【図１８】
2014069818.tif 000022
【図１９】
2014069818.tif 000023
【図２０】
2014069818.tif 000024
【図２１】
2014069818.tif 000025
【図２２】
2014069818.tif 000026
【図２３Ａ】
2014069818.tif 000027
【図２３Ｂ】
2014069818.tif 000028
【図２４Ａ】
2014069818.tif 000029
【図２４Ｂ】
2014069818.tif 000030
【図２５】
2014069818.tif 000031
【図２６】
2014069818.tif 000032
【図２７】
2014069818.tif 000033
【図２８】
2014069818.tif 000034